(57)【要約】【課題】手指が茶器本体側に触れても該手指に熱さが伝わらない新規な茶器を提供する。【解決手段】内部に熱せられた茶，コーヒーその他の飲料が注入可能にセラミック材料により成形された茶器本体２と、セラミック材料により成形されてなるとともに、上記茶器本体２の外側面２ａに固定された把手５とを備えてなる茶器１であって、上記茶器本体２の外側面２ａであって、上記把手５の把手部３を把持した際における使用者の手指９ｂ等と該茶器本体の外側面２ａとの間には、空気層形成部４が設けられてなり、この空気層形成部４と茶器本体２との間には空気層４ｓが形成されてなるとともに、この空気層形成部４は、上記茶器本体２とは別個に成形されてなるとともに該茶器本体２の外側面２ａに固定された後に焼成されることにより該茶器本体２と一体化されてなるものである。【選択図】        図１
2008228942.tif 000002
【特許請求の範囲】
【請求項１】
内部に熱せられた茶，コーヒーその他の飲料が注入可能にセラミック材料により成形された茶器本体と、セラミック材料により成形されてなるとともに、上記茶器本体の外側面に固定された把手とを備えてなる茶器において、
上記茶器本体の外側面であって、上記把手を把持した際における使用者の手指と該茶器本体の外側面との間には、空気層形成部が設けられてなり、この空気層形成部と茶器本体との間には空気層が形成されてなるとともに、
この空気層形成部は、上記茶器本体とは別個に成形されてなるとともに該茶器本体の外側面に固定された後に焼成されることにより該茶器本体と一体化されてなることを特徴とする茶器。
【請求項２】
前記空気層形成部には開口が形成され、前記空気層は、外気と流通可能とされてなることを特徴とする請求項１記載の茶器。
【請求項３】
前記把手と前記空気層形成部とは一体成形されてなることを特徴とする請求項１又は２記載の何れかの茶器。
【請求項４】
前記把手と前記空気層形成部とは別個に成形されてなることを特徴とする請求項１，２又は３記載の何れかの茶器。
【発明の詳細な説明】
【技術分野】
【０００１】
本発明は、内部に茶，コーヒーその他の飲料が注入される茶器本体と、この茶器本体の外側面に固定された把手とを備えてなる茶器に関するものであり、特にセラミックを素材とする茶器に関するものである。
【背景技術】
【０００２】
急須やマグカップ等の茶器には、高温に熱せられたお茶やコーヒーその他の飲料の温度による熱さを緩和するために、把手が形成されているものが多い。これらの把手は、茶器本体の外側面に固定されてなるものであり、例えば棒状に成形されたものやＣ字状に成形されたものがある。使用者は、これらの把手を把持することにより、高温に熱せられた茶器本体に触れずに上記お茶を湯呑に注いだりコーヒー等を飲んだりすることができる。
【発明の開示】
【発明が解決しようとする課題】
【０００３】
しかしながら、このように把手が形成されている場合であっても、使用者による使用方法や把手のサイズは様々であり、把手を把持した際や把持しようとした際に誤って高温に熱せられた茶器本体に触れてしまう場合がある。例えば、棒状の把手が固定された急須は、片手で該把手を把持するとともに、同じ手の親指又は人差し指で蓋体を押さえた上で湯呑にお茶を注ぐ場合がある。こうした使用方法がされる場合には、手指は茶器本体（急須本体）に極めて接近した状態で把持されることとなり、該急須本体に人差し指や中指等が触れて該人差し指や中指等に熱さが伝わってしまう場合がある。
【０００４】
また、急須やマグカップ（茶器本体）の外側面に例えばＣ字状の把手が形成されている場合には、該把手と茶器本体の外側面との間に形成された空間に人差し指や中指等を挿通させた上で該把手を把持することとなるが、使用者の手指と前記空間の大きさとの関係で、使用時において茶器本体の外側面に手指が触れて該手指に熱さが伝わってしまう場合がある。このように、手指に熱さが伝わってしまうと使用者は熱さに驚き、把持している手指の把持力を緩めて急須やマグカップ等を落下させて破損してしまうことや、接触時の温度によっては手指に火傷をすることがある。
【０００５】
そこで、本発明は、上述した従来の技術による急須やマグカップ等の茶器が有する課題を解決するために提案されたものであって、手指が茶器本体側に触れても該手指に熱さが伝わらないようにして、急須やマグカップ等の茶器を落下させて破損してしまうことや、手指に火傷をすることがない新規な茶器を提供することを目的とするものである。
【課題を解決するための手段】
【０００６】
上述した目的を達成するため、第１の発明（請求項１記載の発明）に係る茶器は、内部に熱せられた茶，コーヒーその他の飲料が注入可能にセラミック材料により成形された茶器本体と、セラミック材料により成形されてなるとともに、上記茶器本体の外側面に固定された把手とを備えてなる茶器において、上記茶器本体の外側面であって、上記把手を把持した際における使用者の手指と該茶器本体の外側面との間には、空気層形成部が設けられてなり、この空気層形成部と茶器本体との間には空気層が形成されてなるとともに、この空気層形成部は、上記茶器本体とは別個に成形されてなるとともに該茶器本体の外側面に固定された後に焼成されることにより該茶器本体と一体化されてなることを特徴とするものである。
【０００７】
この第１の発明では、把手を把持した際における使用者の手指と該茶器本体の外側面との間には、空気層形成部が設けられてなり、この空気層形成部と茶器本体との間には空気層が形成されてなることから、茶器本体内に熱せられたお茶等の飲料を注ぎ入れ、把持部を把持した際に、使用者の手指が茶器本体の外側面に直接触れる危険性がなく、また空気層形成部に手指が触れた場合であっても茶器本体内の熱さが空気層の断熱作用により直接伝わらないので、熱さによる驚きから把持している手指の把持力を緩めて茶器を落下させることを防止できるとともに、火傷等の事故を防止することができる。
【０００８】
さらに、この発明では、空気層形成部は、上記茶器本体とは別個に成形されてなるとともに該茶器本体の外側面に固定された後に焼成されることにより該茶器本体と一体化されてなり、茶器本体と一体成形されてなるものではないことから、製造の際には、茶器本体の鋳込み成形型を変更する必要性がない。すなわち、これまで製造されている茶器本体の鋳込み成形型を変更することなくそのまま利用することができる。
【０００９】
なお、本発明を構成する茶器とは、例えば、急須，湯呑，マグカップ等のように、少なくとも内部に熱せられた茶，コーヒーその他の飲料が注入可能となされた物であれば良い。また、この第１の発明では、把手が構成要素とされていなければならず、この把手の大きさや形状，数は特に限定されるものではない。
【００１０】
また、第２の発明（請求項２記載の発明）は、上記第１の発明において、前記空気層形成部には開口が形成され、前記空気層は、外気と流通可能とされてなることを特徴とするものである。
【００１１】
この第２の発明では、空気層形成部には開口が形成され、空気層は、外気と流通可能とされてなり、空気層が密封されないことから、より熱伝導率を低下させ断熱効果を向上させることが可能となる。なお、この第２の発明を構成する開口は、空気層と外気とが流通可能となるように機能するものであれば良く、該開口の大きさや位置は特に限定されるものではない。また、この開口の数に関しても限定されるものではなく、空気層形成部の左右両側や上下両側に形成されていても良い。特に、空気層形成部と茶器本体の外側面との間の空気の温度が上昇した場合に該空気が抜ける開口が上方に形成され、下方には外気が上記空気層（空間）内に流入する開口が形成されている場合には、より一層空気層形成部の温度の上昇を抑制することができる。
【００１２】
また、第３の発明（請求項３記載の発明）は、上記第１又は２の発明において、前記把手と前記空気層形成部とは一体成形されてなることを特徴とするものである。
【００１３】
この第３の発明では、把手と空気層形成部とは一体成形されてなるので、これらを単一の鋳込み成形型を用いて成形することができるとともに、把手と空気層形成部との茶器本体への固定作業も１回で済むことから、安価に且つ迅速に製造することができる。
【００１４】
また、第４の発明（請求項４記載の発明）は、前記把手と前記空気層形成部とは別個に成形されてなることを特徴とするものである。
【００１５】
この第４の発明では、前記把手と前記空気層形成部とは別個に成形されてなることから、製造の際には、これまで製造されている茶器本体の鋳込み成形型のみならず、把手の鋳込み成形型も変更することなくそのまま利用することが可能となる。したがって、空気層形成部の鋳込み成形型のみを製作して本発明の茶器を製造することができる。
【発明の効果】
【００１６】
上記第１の発明（請求項１記載の発明）に係る茶器では、茶器本体内に熱せられたお茶等の飲料を注ぎ入れ、把持部を把持した際に、使用者の手指が茶器本体の外側面に直接触れる危険性がないことから、熱さによる驚きから把持している手指の把持力を緩めて茶器を落下させることを防止できるとともに、火傷等の事故を防止できるので、安全性を確保することができる。また、空気層形成部は、茶器本体とは別個に成形されてなるとともに該茶器本体の外側面に固定された後に焼成されることにより該茶器本体と一体化されてなり、茶器本体と一体成形されてなるものではないことから、製造の際には、茶器本体の鋳込み成形型を変更する必要性がないので、製造原価の上昇を抑止することができるとともに、鋳込み成形型の保管管理の煩雑化を防止することができる。
【００１７】
また、第２の発明（請求項２記載の発明）では、空気層形成部には開口が形成され、空気層は、外気と流通可能とされてなり、空気層が密封されないことから、より熱伝導率を低下させ断熱効果を向上させることが可能となるので、安全性をより高めることができるとともに、品質の安定を図ることができる。
【００１８】
また、第３の発明（請求項３記載の発明）では、把手と空気層形成部とは一体成形されてなるので、これらを単一の鋳込み成形型を用いて成形することができるとともに、把手と空気層形成部との茶器本体への固定作業も１回で済むことから、安価に且つ迅速に製造することができる。
【００１９】
また、第４の発明（請求項４記載の発明）では、前記把手と前記空気層形成部とは別個に成形されてなることから、製造の際には、これまで製造されている茶器本体の鋳込み成形型のみならず、把手の鋳込み成形型も変更することなくそのまま利用することが可能となる。したがって、空気層形成部の鋳込み成形型のみを製作して茶器を製造することができるので、成形型を安価に制作することができる。
【発明を実施するための最良の形態】
【００２０】
以下、本発明を実施するための茶器の形態を、図面を参照しながら詳細に説明する。なお、以下に説明する各実施の形態に係る茶器は、急須又はマグカップであって、内部に熱せられたお茶，コーヒーその他の飲料が注入可能にセラミック材料により成形された茶器本体（急須本体又はマグカップ本体）と、セラミック材料により成形されて茶器本体の外側面に固定された棒状又はＣ字状の把手部と、飲料の熱が使用者の手指に伝わらないようにするための空気層形成部とを備えている。
【００２１】
先ず、第１の実施の形態に係る茶器に付いて詳細に説明する。この茶器は、図１に示す急須１であって、図示しない茶葉及び熱湯が注ぎ入れられる急須本体２と、この急須本体２を持ち運びする際又はお茶を注ぎ出す際に把持する把手５と、この把手５の把手部３と一体成形され急須本体２内に注ぎ入れられたお茶の熱が使用者の手指に伝わらないようにするための空気層形成部４と、急須本体２の上部開口を閉塞する蓋体６とにより構成されている。なお、空気層形成部４は、上記把手部３を把持した使用者の手指と急須本体２の外側面２ａとの間に設けられるものである。
【００２２】
これらのうち、上記急須本体２は、断面が湾曲筒状の胴部２ｂと、この胴部２ｂの下端部を密閉する底部２ｃとを備え、お茶を貯蔵するするとともに、茶葉を濾す濾し壁２ｊの濾し穴２ｋを経て、胴部２ｂの一部を開口して先絞り筒状に形成した注ぎ口２ｈから外部へお茶等を注ぎ出すものである。また、上記胴部２ｂの上縁には、蓋体６を挿入可能な内径の上縁部２ｄが上方に向かって環状に延設され、胴部２ｂと上縁部２ｄとの交差部内側には、蓋体６を載置する蓋載置部２ｅが形成されているとともに、胴部２ｂと底部２ｃとの交差部外側には急須１を載置するための台座部２ｆが下方に向かって環状に延設されている。
【００２３】
また、上記把手５は、把手部３と空気層形成部４とが一体成形されている。上記把手部３は、基端部３ａと、この基端部３ａに連なる中空状の把持部３ｂとから成形されている。また、空気層形成部４は、その空気層壁４ａが前記把手部３の基端部３ａと一体的に連なり、空気層壁４ａは、急須本体２の胴部２ｂとの間に空気層４ｓが形成されるように湾曲に成形されている。また、蓋体６は、急須本体２の上部開口を閉塞するものであって、急須本体２の上縁部２ｄ内に挿入可能な外径を有する円盤状の蓋板６ａが形成され、その中央上部に該蓋体６を急須本体２に載置又は除去するための摘み部６ｂが突設され、蓋板６ａの一部には内気圧を調整する通気孔６ｃが穿孔されている。
【００２４】
このように構成される急須１の製造はセラミック材料を素材とし、急須本体２を図示しない独立した鋳込み成形型により鋳込み成形するとともに、これとは別個に把手５を構成する把手部３と空気層形成部４とを鋳込み成形型により一体的に成形し、それぞれ所定の泥漿付着時間を経過した後に該鋳込み成形型内に充填された泥漿を排出し、所定の乾燥時間経過後に脱型し、急須本体２の胴部２ｂの接合部２ｇ，２ｉに空気層形成部４の接合面４ｂ，４ｅをそれぞれ接合により一体的に固定して焼成する。
【００２５】
したがって、この実施の形態に係る急須１によれば、急須本体２については、これまでの形状を変更する必要がないことから、これまで製造されている鋳込み成形型を変更することなくそのまま利用することができる。また、蓋体６は、これら急須本体２と把手部３及び空気層形成部４でなる把手５とは別個に鋳込み成形して焼成する。
【００２６】
そして、この実施の形態に係る急須１は、親指９ａで蓋体６を押さえ、人差し指９ｂないし小指９ｅにより把手部３の把持部３ｂを把持した際における人差し指９ｂ等と、急須本体２の外側面２ａとの間には空気層形成部４が設けられてなり、この空気層形成部４と急須本体２との間には空気層４ｓが形成されてなることから、急須本体２内に熱せられたお茶等を注ぎ入れ、把手部３を把持した際に、使用者の人差し指９ｂ等が急須本体２の外側面２ａに直接触れる危険性がなく、また空気層形成部４に人差し指９ｂ等が触れた場合であっても、急須本体２内の熱さが空気層４ｓの断熱作用により使用者の人差し指９ｂ等に直接伝わらないようにすることができる。したがって、使用者は熱さに驚くことがないから把持している親指９ａないし小指９ｅの把持力を緩めて急須１を落下させることを防止できるとともに、火傷等の事故を防止することができる。
【００２７】
次に、第２の実施の形態に係る茶器は、図２に示す急須１１であって、図示しない茶葉及び熱湯が注ぎ入れられる急須本体１２と、この急須本体１２を持ち運びする際又はお茶を注ぎ出す際に把持する把手１５と、この把手１５の把手部１３と一体成形され急須本体１２内に注ぎ入れられたお茶の熱が使用者の手指に伝わらないようにするための空気層形成部１４と、急須本体１２の上部開口を閉塞する蓋体１６とにより構成され、空気層形成部１４の空気層壁１４ａの図２（ａ）に示す両側部に開口１４ｃ，１４ｄが形成されたものである。なお、空気層形成部１４は、上記把手部１３を把持した使用者の手指と急須本体１２の外側面１２ａとの間に設けられるものである。
【００２８】
これらのうち、急須本体１２は、断面が湾曲筒状の胴部１２ｂと、この胴部１２ｂの下端部を密閉する底部１２ｃとを備えて、お茶を貯蔵するするとともに、茶葉を濾す濾し壁１２ｊの濾し穴１２ｋを経て、胴部１２ｂの一部を開口して先絞り筒状に形成した注ぎ口１２ｈから外部へお茶等を注ぎ出すものである。また、胴部１２ｂの上縁には、蓋体１６を挿入可能な内径の上縁部１２ｄが上方に向かって環状に延設され、胴部１２ｂと上縁部１２ｄとの交差部内側には、蓋体１６を載置する蓋載置部１２ｅが形成されているとともに、胴部１２ｂと底部１２ｃとの交差部外側には急須１１を載置するための台座部１２ｆが下方に向かって環状に延設されている。
【００２９】
また、上記把手１５は、把手部１３と空気層形成部１４とが一体成形されている。上記把手部１３は、基端部１３ａと、この基端部１３ａに連なる中空状の把持部１３ｂとから成形されている。また、空気層形成部１４は、その空気層壁１４ａが前記把手部１３の基端部１３ａと一体的に連なり、空気層壁１４ａは、急須本体２の胴部２ｂとの間に空気層１４ｓが形成されるように湾曲に成形されているとともに、図２（ａ）に示す空気層形成部１４の両側部には前記空気層１４ｓ内に外気を流通させる開口１４ｃ，１４ｄが形成されている。また、蓋体１６は、急須本体１２の上部開口を閉塞するものであって、急須本体１２の上縁部１２ｄ内に挿入可能な外径を有する円盤状の蓋板１６ａが形成され、その中央上部に該蓋体１６を急須本体１２に載置又は除去するための摘み部１６ｂが突設され、蓋板１６ａの一部には内気圧を調整する通気孔１６ｃが穿孔されている。
【００３０】
このように構成される急須１１の製造はセラミック材料を素材とし、前記第１の実施の形態と同様に、急須本体１２を図示しない独立した鋳込み成形型により鋳込み成形するとともに、これとは別個に把手１５を構成する把手部１３と空気層形成部１４とを鋳込み成形型により一体的に成形し、それぞれ所定の泥漿付着時間を経過した後に該鋳込み成形型内に充填された泥漿を排出し、所定の乾燥時間経過後に脱型し、急須本体１２の胴部１２ｂの接合部１２ｇ，１２ｉに空気層形成部１４の接合面１４ｂ，１４ｅをそれぞれ接合により一体的に固定して焼成する。
【００３１】
したがって、急須本体１２については、形状を変更する必要がないことから、これまで製造されている鋳込み成形型を変更することなくそのまま利用することができる。また、蓋体１６は、これら急須本体１２と把手部１３及び空気層形成部１４でなる把手１５とは別個に鋳込み成形して焼成する。
【００３２】
そして、この第２の実施の形態に係る急須１１による場合であっても、親指９ａで蓋体６を押さえ、人差し指９ｂないし小指９ｅにより把手部１３の把持部１３ｂを把持した際における人差し指９ｂ等と、急須本体１２の外側面１２ａとの間には空気層形成部１４が設けられてなり、この空気層形成部１４と急須本体１２との間には空気層１４ｓが形成されてなることから、急須本体１２内に熱せられたお茶等を注ぎ入れ、把手部１３を把持した際に、使用者の人差し指９ｂ等が急須本体１２の外側面１２ａに直接触れる危険性がなく、また空気層形成部１４に人差し指９ｂ等が触れた場合であっても、急須本体１２内の熱さが空気層１４ｓの断熱作用により使用者の人差し指９ｂ等に直接伝わらないようにすることができる。
【００３３】
したがって、この急須１１によれば、使用者は熱さに驚くことがないから把持している親指９ａないし小指９ｅの把持力を緩めて急須１１を落下させることを防止できるとともに、火傷等の事故を防止することができる。さらに、この第２の実施の形態では、空気層形成部１４には開口１４ｃ，１４ｄが形成され、空気層１４ｓは、外気と流通して空気層１４ｓが密封されないことから、より熱伝導率を低下させ断熱効果を向上させることが可能となる。
【００３４】
次に、第３の実施の形態に係る茶器は図３に示す急須２１であって、図示しない茶葉及び熱湯が注ぎ入れられる急須本体２２と、この急須本体２２を持ち運びする際又はお茶を注ぎ出す際に把持する把手２３と、急須本体２２内に注ぎ入れられたお茶の熱が使用者の手指に伝わらないようにするための空気層形成部材２４と、急須本体２２の上部開口を閉塞する蓋体２６とにより構成され、把手２３と空気層形成部材２４とは別個に成形されたものである。なお、空気層形成部２４は、上記把手２３を把持した使用者の手指と急須本体２２の外側面２２ａとの間に設けられるものである。
【００３５】
これらのうち、急須本体２２は、断面が湾曲筒状の胴部２２ｂと、この胴部２２ｂの下端部を密閉する底部２２ｃとを備えて、お茶を貯蔵するするとともに、お茶等を濾す図示しない濾し壁の濾し穴を経て、胴部２２ｂの一部を開口して先絞り筒状に形成した図３（ａ）に示す注ぎ口２２ｈから外部へお茶等を注ぎ出す（図１又は図２参照）ものである。また、胴部２２ｂの上縁には、蓋体２６を挿入可能な内径の上縁部２２ｄが上方に向かって環状に延設され、胴部２２ｂと上縁部２２ｄとの交差部内側には、蓋体２６を載置する蓋載置部２２ｅが形成されているとともに、胴部２２ｂと底部２２ｃとの交差部外側には急須２１を載置するための台座部２２ｆが下方に向かって環状に延設されている。
【００３６】
また、上記把手２３と空気層形成部材２４とは別個に形成されている。上記把手２３は、基端部２３ａと、この基端部２３ａに連なる中空状の把持部２３ｂとから成形されている。また、空気層形成部材２４の空気層壁２４ａは、急須本体２２の胴部２２ｂとの間に空気層２４ｓが形成されるように横断面がコ字状に成形されているとともに、図３（ｂ）に示す空気層形成部材２４の上下両端部には前記空気層２４ｓ内に外気を流通させる開口２４ｃ，２４ｄが形成されている。また、蓋体２６は、急須本体２２の上部開口を閉塞するものであって、急須本体２２の上縁部２２ｄ内に挿入可能な外径を有する円盤状の蓋板２６ａが形成され、その中央上部に該蓋体２６を急須本体２２に載置又は除去するための摘み部２６ｂが突設され、蓋板２６ａの一部には内気圧を調整する通気孔２６ｃが穿孔されている。
【００３７】
このように構成される急須２１の製造はセラミック材料を素材とし、急須本体２２、把手２３及び空気層形成部材２４をそれぞれ独立した図示しない鋳込み成形型により別個に鋳込み成形し、それぞれ所定の泥漿付着時間を経過した後に該鋳込み成形型内に充填された泥漿を排出し、所定の乾燥時間経過後に脱型し、急須本体２２の胴部２２ｂの接合部２２ｇに把手２３の接合面２３ｃを接合により一体的に固定するとともに、この把手２３に近接する下方位置の接合部２２ｉに空気層形成部材２４の接合面２４ｂを接合により一体的に固定して焼成する。したがって、急須本体２２及び把手２３については、形状を変更する必要がないことから、これまで製造されている鋳込み成形型を変更することなくそのまま利用することができる。なお、蓋体２６は、これら急須本体２２、把手２３及び空気層形成部材２４とは別個に鋳込み成形して焼成する。
【００３８】
そして、上記急須２１によれば、親指９ａで蓋体２６を押さえ、人差し指９ｂないし小指９ｅにより把手２３の把持部２３ｂを把持した際における人差し指９ｂ等と、急須本体２２の外側面２２ａとの間には空気層形成部材２４が設けられてなり、この空気層形成部材２４と急須本体２２との間には空気層２４ｓが形成されてなることから、急須本体２２内に熱せられたお茶を注ぎ入れ、把手２３を把持した際に、使用者の人差し指９ｂ等が急須本体２２の外側面２２ａに直接触れる危険性がなく、また空気層形成部材２４に人差し指９ｂ等が触れた場合であっても、急須本体２２内の熱さが空気層２４ｓの断熱作用により使用者の人差し指９ｂ等に直接伝わらないようにすることができる。
【００３９】
したがって、この急須２１によれば、使用者は熱さに驚くことがないから把持している親指９ａないし小指９ｅの把持力を緩めて急須２１を落下させることを防止できるとともに、火傷等の事故を防止することができる。さらに、この第３の実施の形態では、空気層形成部材２４には開口２４ｃ，２４ｄが形成され、空気層２４ｓは、外気と流通して空気層２４ｓが密封されないことから、より熱伝導率を低下させ断熱効果を向上させることが可能となる。
【００４０】
次に、第４の実施の形態に係る茶器は図４に示す急須３１であって、図示しない茶葉及び熱湯が注ぎ入れられる急須本体３２と、この急須本体３２を持ち運びする際又はお茶を注ぎ出す際に把持する把手３５と、この把手３５の把手部３３と一体成形され急須本体３２内に注ぎ入れられたお茶の熱が使用者の手指に伝わらないようにするための空気層形成部３４と、急須本体３２の上部開口を閉塞する蓋体３６とにより構成され、空気層形成部３４の空気層壁３４ａの図４（ａ）に示す両側部に開口３４ｃ，３４ｄが形成されたものである。なお、空気層形成部３４は、上記把手部３３を把持した使用者の手指と急須本体３２の外側面３２ａとの間に設けられるものである。
【００４１】
これらのうち、急須本体３２は、断面が湾曲筒状の胴部３２ｂと、この胴部３２ｂの下端部を密閉する底部３２ｃとを備えて、お茶を貯蔵するするとともに、茶葉を濾す濾し壁３２ｊの濾し穴３２ｋを経て、胴部３２ｂの一部を開口して先絞り筒状に形成した注ぎ口３２ｈから外部へお茶等を注ぎ出すものである。また、胴部３２ｂの上縁には、蓋体３６を挿入可能な内径の上縁部３２ｄが上方に向かって環状に延設され、胴部３２ｂと上縁部３２ｄとの交差部内側には、蓋体３６を載置する蓋載置部３２ｅが形成されているとともに、胴部３２ｂと底部３２ｃとの交差部外側には急須３１を載置するための台座部３２ｆが下方に向かって環状に延設されている。
【００４２】
また、上記把手３５は、把手部３３と空気層形成部３４とが一体成形されている。上記把手部３３は、基端部３３ａ，３３ｂと、これら基端部３３ａ，３３ｂとそれぞれ連なる軸部３３ｄ，３３ｅと、これら軸部３３ｄ，３３ｅと連なる把持部３３ｃとから概ねＣ字状に成形されている。また、空気層形成部３４は、その空気層壁３４ａが前記把手部３３の基端部３３ａ，３３ｂと一体的に連なり、空気層壁３４ａは、急須本体３２の胴部３２ｂとの間に空気層３４ｓが形成されるように湾曲に成形されているとともに、図４（ａ）に示す空気層形成部３４の両側部には前記空気層３４ｓ内に外気を流通させる開口３４ｃ，３４ｄが形成されている。また、蓋体３６は、急須本体３２の上部開口を閉塞するものであって、急須本体３２の上縁部３２ｄ内に挿入可能な外径を有する円盤状の蓋板３６ａが形成され、その中央上部に該蓋体３６を急須本体３２に載置又は除去するための摘み部３６ｂが突設され、蓋板３６ａの一部には内気圧を調整する通気孔３６ｃが穿孔されている。
【００４３】
このように構成される急須３１の製造はセラミック材料を素材とし、急須本体３２を図示しない独立した鋳込み成形型により鋳込み成形するとともに、これとは別個に把手部３３と空気層形成部３４とを鋳込み成形型により一体的に成形し、それぞれ所定の泥漿付着時間を経過した後に該鋳込み成形型内に充填された泥漿を排出し、所定の乾燥時間経過後に脱型し、急須本体３２の胴部３２ｂの接合部３２ｇ，３２ｉに空気層形成部３４の接合面３４ｂ，３４ｅをそれぞれ接合により一体的に固定して焼成する。
【００４４】
したがって、この急須３１によれば、急須本体３２については、形状を変更する必要がないことから、これまで製造されている鋳込み成形型を変更することなくそのまま利用することができる。また、蓋体３６は、これら急須本体３２、把手部３３及び空気層形成部３４でなる把手３５とは別個に鋳込み成形して焼成する。
【００４５】
そして、この急須３１によれば、人差し指９ｂないし薬指９ｄ等により把手部３３の把持部３３ｃを把持した際における人差し指９ｂないし薬指９ｄ等と、急須本体３２の外側面３２ａとの間には空気層形成部３４が設けられてなり、この空気層形成部３４と急須本体３２との間には空気層３４ｓが形成されてなることから、急須本体３２内に熱せられたお茶を注ぎ入れ、把手部３３の把持部３３ｃを把持した際に、使用者の人差し指９ｂないし薬指９ｄ等が急須本体３２の外側面３２ａに直接触れる危険性がなく、また空気層形成部３４に人差し指９ｂないし薬指９ｄ等が触れた場合であっても、急須本体３２内の熱さが空気層３４ｓの断熱作用により使用者の人差し指９ｂないし薬指９ｄ等に直接伝わらないようにすることができる。
【００４６】
したがって、使用者は熱さに驚くことがないから把持している親指９ａないし薬指９ｄ等の把持力を緩めて急須３１を落下させることを防止できるとともに、火傷等の事故を防止することができる。さらに、この第４の実施の形態では、空気層形成部３４には開口３４ｃ，３４ｄが形成され、空気層３４ｓは、外気と流通して空気層３４ｓが密封されないことから、より熱伝導率を低下させ断熱効果を向上させることが可能となる。
【００４７】
次に、第５の実施の形態に係る茶器は図５に示すマグカップ４１であって、図示しない飲料が注ぎ入れられるマグカップ本体４２と、このマグカップ本体４２を持ち運びする際又は飲料を注ぎ出す際に把持する把手４３と、マグカップ本体４２内に注ぎ入れられた飲料の熱が使用者の手指に伝わらないようにするための空気層形成部材４４とにより構成され、把手４３と空気層形成部材４４とは別個に成形されたものである。なお、空気層形成部材４４は、上記把手４３を把持した使用者の手指とマグカップ本体４２の外側面４２ａとの間に設けられるものである。
【００４８】
これらのうち、マグカップ本体４２は、円筒状の胴部４２ｂと、この胴部４２ｂの下端部を密閉する底部４２ｃとを備えて、飲料を貯蔵するするとともに、胴部４２ｂの上端開口部からから外部へ飲料を注ぎ出すものである。また、胴部４２ｂと底部４２ｃとの交差部外側にはマグカップ４１を載置するための台座部４２ｆが下方に向かって環状に延設されている。
【００４９】
また、把手４３は、上下の基端部４３ａ，４３ｂと、これら基端部４３ａ，４３ｂとそれぞれ連なる軸部４３ｄ，４３ｅと、これら軸部４３ｄ，４３ｅと連なる把持部４３ｃとから概ねＣ字状に成形されている。また、空気層形成部材４４は把手４３とは別個に成形されており、その空気層壁４４ａは、マグカップ本体４２の胴部４２ｂとの間に空気層４４ｓが形成されるように図５（ａ）に示すコ字状に成形されているとともに、図５（ｂ）に示す空気層形成部材４４の上下両端部には前記空気層４４ｓ内に外気を流通させる開口４４ｃ，４４ｄが形成されている。
【００５０】
このように構成されるマグカップ４１の製造はセラミック材料を素材とし、マグカップ本体４２、把手４３及び空気層形成部材４４をそれぞれ独立した図示しない鋳込み成形型により別個に鋳込み成形し、それぞれ所定の泥漿付着時間を経過した後に該鋳込み成形型内に充填された泥漿を排出し、所定の乾燥時間経過後に脱型し、マグカップ本体４２の胴部４２ｂの接合部４２ｊ，４２ｋに空気層形成部材４４の接合面４４ｊ、４４ｋを接合により一体的に固定するとともに、胴部４２ｂの接合部４２ｇ，４２ｉに把手４３の接合面４３ｇ，４３ｉを接合により一体的に固定（把手４３は、空気層形成部材４４の図５（ａ）に示す中央部に把持部４３ｃが位置し、かつ、図５（ｂ）に示す空気層形成部材４４の上下端近傍に基端部４３ａ，４３ｂが位置するように固定される）して焼成する。したがって、マグカップ本体４２及び把手４３については、形状を変更する必要がないことから、これまで製造されている鋳込み成形型を変更することなくそのまま利用することができる。
【００５１】
そして、このマグカップ４１によれば、親指９ａで把手４３の軸部４３ｄを押さえ、人差し指９ｂないし薬指９ｄにより把手４３の把持部４３ｃを把持した際における人差し指９ｂないし薬指９ｄ等と、マグカップ本体４２の外側面４２ａとの間には空気層形成部材４４が設けられてなり、この空気層形成部材４４とマグカップ本体４２との間には空気層４４ｓが形成されてなることから、マグカップ本体４２内に熱せられた飲料を注ぎ入れ、把手４３の把持部４３ｃを把持した際に、使用者の人差し指９ｂないし薬指９ｄ等がマグカップ本体４２の外側面４２ａに直接触れる危険性がなく、また空気層形成部材４４に人差し指９ｂないし薬指９ｄ等が触れた場合であっても、マグカップ本体４２内の熱さが空気層４４ｓの断熱作用により使用者の人差し指９ｂないし薬指９ｄ等に直接伝わらないようにすることができる。
【００５２】
したがって、マグカップ４１によれば、使用者は熱さに驚くことがないから把持している親指９ａないし薬指９ｄ等の把持力を緩めてマグカップ４１を落下させることを防止できるとともに、火傷等の事故を防止することができる。さらに、この第５の実施の形態では、空気層形成部材４４には開口４４ｃ，４４ｄが形成され、空気層４４ｓは、外気と流通して空気層４４ｓが密封されないことから、より熱伝導率を低下させ断熱効果を向上させることが可能となる。
【００５３】
次に、第６の実施の形態に係る茶器は図６に示すマグカップ５１であって、図示しない飲料が注ぎ入れられるマグカップ本体５２と、このマグカップ本体５２を持ち運びする際又は飲料を注ぎ出す際に把持する把手５５と、この把手５５の把手部５３と一体成形されマグカップ本体５２内に注ぎ入れられた飲料の熱が使用者の手指に伝わらないようにするための空気層形成部５４とにより構成されている。なお、空気層形成部５４は、上記把手部５３を把持した使用者の手指とマグカップ本体５２の外側面５２ａとの間に設けられるものである。
【００５４】
これらのうち、マグカップ本体５２は、円筒状の胴部５２ｂと、この胴部５２ｂの円周上の一部に該胴部５２ｂの内側へ湾曲した湾曲胴部５２ｄと、胴部５２ｂの下端部を密閉する底部５２ｃとを備えて、飲料を貯蔵するするとともに、胴部５２ｂの上端開口部からから外部へ飲料を注ぎ出すものである。また、胴部５２ｂと底部５２ｃとの交差部外側にはマグカップ５１を載置するための台座部５２ｆが下方に向かって環状に延設されている。
【００５５】
また、上記把手５５は、把手部５３と空気層形成部５４とが一体成形されている。上記把手部５３は、基端部５３ａ，５３ｂと、これら基端部５３ａ，５３ｂとそれぞれ連なる軸部５３ｄ，５３ｅと、これら軸部５３ｄ，５３ｅと連なる把持部５３ｃとから概ねＣ字状に成形されている。また、空気層形成部５４は、その空気層壁５４ａが前記把手部５３の基端部５３ａ，５３ｂと一体的に連なり、空気層壁５４ａは、マグカップ本体５２の湾曲胴部５２ｄとの間に空気層５４ｓが形成されるように直線状に成形されているとともに、図６（ａ）に示す空気層形成部５４の両側部には前記空気層５４ｓ内に外気を流通させる開口５４ｃ，５４ｄが形成されている。
【００５６】
このように構成されるマグカップ５１の製造はセラミック材料を素材とし、マグカップ本体５２を図示しない独立した鋳込み成形型により鋳込み成形するとともに、これとは別個に把手５５を構成する把手部５３と空気層形成部５４とを鋳込み成形型により一体的に成形し、それぞれ所定の泥漿付着時間を経過した後に該鋳込み成形型内に充填された泥漿を排出し、所定の乾燥時間経過後に脱型し、マグカップ本体５２の胴部５２ｂの接合部５２ｇ，５２ｉに空気層形成部５４の接合面５４ｂ，５４ｅをそれぞれ接合により一体的に固定して焼成する。
【００５７】
そして、このマグカップ５１によれば、親指９ａで把手部５３の軸部５３ｄを押さえ、人差し指９ｂないし薬指９ｄにより把手部５３の把持部５３ｃを把持した際における人差し指９ｂないし薬指９ｄ等と、マグカップ本体５２の円筒状の外側面５２ａよりも陥没した湾曲凹面５２ｅとの間には、空気層形成部５４が設けられてなり、この空気層形成部５４とマグカップ本体５２との間には空気層５４ｓが形成されてなることから、マグカップ本体５２内に熱せられた飲料を注ぎ入れ、把手部５３を把持した際に、使用者の人差し指９ｂないし薬指９ｄ等がマグカップ本体５２の湾曲凹面５２ｅに直接触れる危険性がなく、また空気層形成部５４に人差し指９ｂないし薬指９ｄ等が触れた場合であっても、マグカップ本体５２内の熱さが空気層５４ｓの断熱作用により使用者の人差し指９ｂないし薬指９ｄ等に直接伝わらないようにすることができる。
【００５８】
したがって、このマグカップ５１によれば、使用者は熱さに驚くことがないから把持している親指９ａないし薬指９ｄ等の把持力を緩めてマグカップ５１を落下させることを防止できるとともに、火傷等の事故を防止することができる。さらに、この第６の実施の形態では、空気層形成部５４には開口５４ｃ，５４ｄが形成され、空気層５４ｓは、外気と流通して空気層５４ｓが密封されないことから、より熱伝導率を低下させ断熱効果を向上させることが可能となる。
【図面の簡単な説明】
【００５９】
【図１】第１の実施の形態に係る急須を示し、（ａ）は（ｂ）のＡ−Ａ矢視断面図、（ｂ）は（ａ）のＢ−Ｂ矢視断面図である。
【図２】第２の実施の形態に係る急須を示し、（ａ）は（ｂ）のＣ−Ｃ矢視断面図、（ｂ）は（ａ）のＤ−Ｄ矢視断面図である。
【図３】第３の実施の形態に係る急須を示し、（ａ）は正面図、（ｂ）は（ａ）のＥ−Ｅ矢視断面図である。
【図４】第４の実施の形態に係る急須を示し、（ａ）は（ｂ）のＦ−Ｆ矢視断面図、（ｂ）は（ａ）のＧ−Ｇ矢視断面図である。
【図５】第５の実施の形態に係るマグカップを示し、（ａ）は（ｂ）のＨ−Ｈ矢視断面図、（ｂ）は（ａ）のＪ−Ｊ矢視断面図である。
【図６】第６の実施の形態に係るマグカップを示し、（ａ）は（ｂ）のＫ−Ｋ矢視断面図、（ｂ）は（ａ）のＬ−Ｌ矢視断面図である。
【符号の説明】
【００６０】
１、１１、２１、３１  急須
４１、５１  マグカップ
２、１２、２２、３２  急須本体
４２、５２  マグカップ本体
２ａ、１２ａ、２２ａ、３２ａ、４２ａ、５２ａ  外側面
５２ｅ  湾曲凹面
２ｇ，２ｉ、１２ｇ，１２ｉ、２２ｇ，２２ｉ、３２ｇ，３２ｉ、４２ｇ，４２ｉ、４２ｊ，４２ｋ、５２ｇ，５２ｉ  接合部
３、１３、３３、５３  把手部
３ｂ、１３ｂ、２３ｂ、３３ｃ、４３ｃ、５３ｃ  把持部
４、１４、３４、５４  空気層形成部
２４、４４  空気層形成部材
４ａ、１４ａ、２４ａ、３４ａ、４４ａ、５４ａ  空気層壁
４ｂ，４ｅ、１４ｂ，１４ｅ、２３ｃ，２４ｂ、３４ｂ，３４ｅ、４３ｇ，４３ｉ、４４ｊ，４４ｋ、５４ｂ，５４ｅ  接合面
１４ｃ，１４ｄ、２４ｃ，２４ｄ、３４ｃ，３４ｄ、４４ｃ，４４ｄ、５４ｃ，５４ｄ  開口
４ｓ、１４ｓ、２４ｓ、３４ｓ、４４ｓ、５４ｓ  空気層
５、１５、２３、３５、４３、５５  把手
【図１】
2008228942.tif 000003
【図２】
2008228942.tif 000004
【図３】
2008228942.tif 000005
【図４】
2008228942.tif 000006
【図５】
2008228942.tif 000007
【図６】
2008228942.tif 000008